【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
開閉され得る、流体のための容器であって、
（ａ）ある量の流体を保持するための１つ以上の１次メンバリザーバを備えている１次メンバと、
（ｂ）ある量の流体を保持するための１つ以上のクロージャリザーバを含むクロージャと
を備え、
（ｃ）該クロージャは、コンタクトゾーンで該１次メンバに接触しており、
（ｄ）該１つ以上のクロージャリザーバの少なくとも１部は、該容器の内部に向かう開口部を有する、容器。
【請求項２】
ＤＭＳＯでの乾燥重量の１０倍を保持し得る材料の容積を備えている、請求項１に記載の容器。
【請求項３】
開閉され得る、流体のための容器であって、
（ａ）ある量の流体を保持するための１つ以上の１次メンバリザーバを備えている１次メンバと、
（ｂ）ある量の流体を保持するための１つ以上のクロージャリザーバを含むクロージャと
を備えており、
（ｃ）該クロージャは、コンタクトゾーンにおいて該１次メンバと接触し、
（ｄ）該１つ以上のクロージャリザーバの少なくとも１部は、該コンテナが閉じられたとき、該コンタクトゾーンの近辺に該容器の外部に向かう開口部を有する、容器。
【請求項４】
前記コンタクトゾーンの近辺から周囲全体への気体の拡散を妨げる構造を前記容器の外側にさらに備えている、請求項３に記載の容器。
【請求項５】
前記１つ以上のクロージャリザーバの少なくとも１つは、前記コンタクトゾーンの近辺にある前記１次メンバの部分を囲むある量の流体を保持し得る、請求項３に記載の容器。
【請求項６】
前記１つ以上のクロージャリザーバにおける前記量の流体は、前記容器を開けることなく補充され得る、請求項１または３に記載の容器。
【請求項７】
前記１つ以上のクロージャリザーバの少なくとも一部は、前記コンタクトゾーンの近くに前記容器の内部に向かう開口部を有する、請求項１または３に記載の容器。
【請求項８】
前記１次メンバは、ウェルプレートであるか、マイクロチューブまたは複数のマイクロチューブを含むラックである、請求項１または３に記載の容器。
【請求項９】
前記１次メンバおよび前記クロージャは、ＤＭＳＯに適合する材料から作られる、請求項１または３に記載の容器。
【請求項１０】
前記クロージャが実質的に水平の向きに前記１次メンバの上にあるように、前記容器が閉じた状態において向けられている場合、地球の重力は、該クロージャを適正な位置に保持するに十分であるか、クロージャと１次メンバとの間にシールを形成するに十分である、請求項１または３に記載の容器。
【請求項１１】
前記クロージャは、前記容器が閉じているとき、前記容器の外側に向かう開口部を有する、湿潤剤のためのリザーバを備えている、請求項１または３に記載の容器。
【請求項１２】
前記コンタクトゾーンにおいて存在する材料の１つは、規格準拠の材料である、請求項１または３に記載の容器。
【請求項１３】
前記コンタクトゾーンにおいて存在する材料の規格準拠は、流体の添加と共に増加する、請求項１２に記載の容器。
【請求項１４】
溶剤を含む流体サンプルを貯蔵するための方法であって、該方法は、
（ａ）該流体サンプルを第１のリザーバに入れるステップと、
（ｂ）ある量の該溶剤を保持する第２のリザーバを有するクロージャを用いて該第１のリザーバを覆うステップと、
（ｃ）該溶剤を該第２のリザーバに補充するステップと
を包含する、方法。
【請求項１５】
（ｄ）前記第２のリザーバにある前記溶剤の蒸発を防ぐのに役立つカバーまたはプラグを用いて前記クロージャをカバーするステップをさらに包含する、請求項１４に記載の方法。
【請求項１６】
ステップ（ｃ）は、前記クロージャを前記第１のリザーバから取り外すことなく実行される、請求項１４に記載の方法。
【請求項１７】
ステップ（ｃ）は、自動化ピペッティングシステムまたは自動化ピンベースの流体移動システムによって実行される、請求項１４に記載の方法。
【請求項１８】
前記第２のリザーバは、前記第１のリザーバと気体の交換を可能にする開口部を有する、請求項１４に記載の方法。
【請求項１９】
前記クロージャと第１のリザーバとの間のシールを介して大気に流出する前記溶剤の少なくとも１０％は、該クロージャの該溶剤から来る、請求項１４に記載の方法。
【請求項２０】
前記クロージャはコンタクトゾーンで前記第１のリザーバに接触し、該クロージャに前記溶剤が存在する結果、該コンタクトゾーンの直近の外側の溶剤の分圧は該溶剤の蒸気圧の少なくとも１０％である、請求項１４に記載の方法。
【請求項２１】
１次メンバを有する流体のための容器のためのクロージャであって、該１次メンバは、コンタクトゾーンにおいて該クロージャに接触し、該クロージャは、
（ａ）ある量の流体を保持するための１つ以上のクロージャリザーバを備え、
（ｂ）該１つ以上のクロージャリザーバの少なくとも一部は、該容器が閉じられているときに該コンタクトゾーンの近辺における該容器の外側または内側に向かう開口部を有する、クロージャ。
【請求項２２】
前記１つ以上のクロージャリザーバにある流体の前記量は前記クロージャを前記容器から引き出すことなく補充され得る、請求項２１に記載のクロージャ。
【請求項２３】
前記１つ以上のクロージャリザーバから内部への開口部の表面積は、前記容器の前記１次メンバに貯蔵される流体の表面積の近似的な上限の少なくとも１０％である、請求項２１に記載のクロージャ。
【請求項２４】
前記コンタクトゾーンが近似的にまたは正確に平面であり、前記１つ以上のクロージャリザーバから内部への開口部の表面積は、前記クロージャが使用中のとき前記容器の内部に露出された該クロージャの部分のコンタクトゾーンの平面への前記突起部の面積の少なくとも１０％である、請求項２１に記載のクロージャ。
【請求項２５】
前記１つ以上のクロージャリザーバの容積は、前記１次メンバのリザーバに貯蔵され得る流体の最大容積の１％より大きい、請求項１または３に記載の容器。
【請求項２６】
少なくとも２つのクロージャメンバを備えている容器のためのクロージャであって、該クロージャメンバの互いの相対位置は、該クロージャと該容器の対に応じて変更される、クロージャ。
【請求項２７】
対になっているとき前記クロージャメンバの相対位置の変更は、クロージャメンバを前記容器により近くに接近させる、請求項２６に記載のクロージャ。
【請求項２８】
弾性のあるコンポーネントは、相対位置の変更に寄与する、請求項２７に記載のクロージャ。
【請求項２９】
対になっているとき前記クロージャメンバの相対位置の変更は、クロージャメンバを前記容器に対してプレスさせる、請求項２７に記載のクロージャ。
【請求項３０】
少なくとも２つのクロージャメンバは、前記クロージャが使用中のとき、近似的に水平である方向に前記容器に対してプレスする、請求項２９に記載のクロージャ。
【請求項３１】
前記クロージャが使用中のとき、前記クロージャメンバは、互いに近似的に反対の方向に前記容器に対してプレスする、請求項３０に記載のクロージャ。
【請求項３２】
前記クロージャが使用中のとき、前記クロージャメンバの１つは、トップのメンバであり、該クロージャメンバの第２のメンバは、該トップのメンバと前記容器との間にある、請求項２６に記載のクロージャ。
【請求項３３】
前記クロージャは、ある量の溶剤を保持するリザーバをさらに備えている、請求項２６に記載のクロージャ。
【請求項３４】
前記クロージャは、前記容器をつかみ、該容器から離すように該クロージャを持ち上げることによって、該容器から取り外され得る、請求項２６に記載のクロージャ。
【請求項３５】
前記容器は複数の別々のリザーバを備え、前記クロージャは、該容器がジメチルスルホキシド（ＤＭＳＯ）溶剤を用いて、２ヶ月にわたり任意のリザーバにある溶剤の＜１０％損失で、使用されることを可能にする、請求項３４に記載のクロージャ。
【請求項３６】
前記容器は複数の別々のリザーバを備え、前記クロージャは、該容器が水溶液を用いて、３日にわたり任意のリザーバにある溶剤の＜１０％損失で、使用されることを可能にする、請求項３４に記載のクロージャ。
【請求項３７】
少なくとも１つのクロージャメンバは射出成形によって製造される、請求項２６に記載のクロージャ。
【請求項３８】
少なくとも１つのクロージャメンバがシングルゲート射出成形によって製造されるか、射出成形によって製造されるクロージャメンバは環状オレフィンコポリマーを含む、請求項３６に記載のクロージャ。
【請求項３９】
前記容器は、前記クロージャが接触する２つの同心の突起部を備えている、請求項２６に記載のクロージャ。
【請求項４０】
前記クロージャメンバの１つは、前記２つの同心の突起部の１つに対してプレスし、該クロージャメンバの別の１つは該２つの同心の突起部の別の１つに対してプレスする、請求項３９に記載のクロージャ。
【請求項４１】
前記弾性のあるコンポーネントは、リーフスプリングの方法で動作する部分を備えている、請求項２８に記載のクロージャ。
【請求項４２】
前記弾性のあるコンポーネントは、前記クロージャおよび前記容器が接触するようにされると、増加する力によってプレスする、請求項２８に記載のクロージャ。
【請求項４３】
前記クロージャが適切な位置にあるとき、該クロージャと前記容器との間のシールを維持するために、どんなねじもしくはクリップまたは接着剤も必要としない、請求項２８に記載のクロージャ。
【請求項４４】
前記クロージャと前記容器との間シールは、該容器に対する該クロージャの重量および前記弾性のあるコンポーネントの力のみによって維持される、請求項２８に記載のクロージャ。